(57)【要約】【目的】  あらゆる種類の苗等に対応可能で、スリットから露出する耕作面地が少なくなる農業用被覆シート用カッターとする。【構成】  農業用被覆シート２００に押し付けてウエーブ状のスリット２１０を形成する農業用被覆シート用カッターであって、複数枚の円形の刃部１１０と、これらの刃部１１０が取り付けられる支持部材１２０と、支持部材１２０が回転可能に取り付けられるカッター本体部１３０とを備え、刃部１１０の縁部には、農業用被覆シート２００にスリット２１０を形成できる切断可能部１１１と、農業用被覆シート２００にスリットを形成できない切断不能部１１２とが交互に設けられている。【選択図】      図１
2009106225.tif 000002
【特許請求の範囲】
【請求項１】
農業用被覆シートに押し付けてスリットを形成する農業用被覆シート用カッターにおいて、複数枚の円形の刃部と、これらの刃部を回転自在に支持する支持部材と、この支持部材が取り付けられるカッター本体部とを具備しており、前記刃部の縁部には、農業用被覆シートにスリットを形成できる切断可能部と、農業用被覆シートにスリットを形成できない切断不能部とが交互に設けられていることを特徴とする農業用被覆シート用カッター。
【請求項２】
前記刃部は、一定の間隔を有して前記支持部材に支持されていることを特徴とする請求項１記載の農業用被覆シート用カッター。
【請求項３】
前記刃部の切断可能部は、縁部がウエーブ状に形成されていることを特徴とする請求項１又は２記載の農業用被覆シート用カッター。
【請求項４】
前記複数枚の刃部は、隣接する刃部同士では、切断可能部と切断不能部との位相がずれていることを特徴とする請求項１、２又は３記載の農業用被覆シート用カッター。
【請求項５】
耕作面地を被覆する農業用被覆シートにおいて、前記請求項１乃至４記載の農業用被覆シート用カッターによってスリットが形成されていることを特徴とする農業用被覆シート。
【発明の詳細な説明】
【技術分野】
【０００１】
本発明は、耕作面地を被覆する農業用被覆シートにスリットを形成する農業用被覆シート用カッターと、この農業用被覆シート用カッターによってスリットが形成された農業用被覆シートとに関する。
【背景技術】
【０００２】
耕作面地の雑草の発生防止、土壌の浸食防止、土壌水分の保持、地温の調整、泥はね防止等を行うために、耕作面地に敷設する農業用被覆シートがある。
この農業用被覆シート用には、例えば、特開平１１−１５５３９０号公報に示すように苗が芽を出すための直線状のスリットが予め設けられている。
【０００３】
【特許文献１】特開平１１−１５５３９０
【発明の開示】
【発明が解決しようとする課題】
【０００４】
苗の種類や耕作面地の状況によっては、苗の間隔は一定ではないので、予めスリットが設けられているタイプの農業用被覆シートでは、各種の苗等に対応できない。このため、スリットの大きさや間隔が異なる複数種類の農業用被覆シートを準備する必要があった。
【０００５】
また、直線状のスリットであると、スリットからでてきた苗によってスリット全体が開いてしまい、多くの耕作面地が露出する。これにより、スリットから苗だけでなく、雑草もでてくることになる。
【０００６】
本発明は、上記事情に鑑みて創案されたもので、あらゆる種類の苗等に対応可能で、スリットから露出する耕作面地が少なくなる農業用被覆シート用カッター及び農業用被覆シートを提供することを目的としている。
【課題を解決するための手段】
【０００７】
本発明に係る農業用被覆シート用カッターは、農業用被覆シートに押し付けてスリットを形成する農業用被覆シート用カッターにおいて、複数枚の円形の刃部と、これらの刃部が取り付けられる支持部材と、この支持部材が回転可能に取り付けられるカッター本体部とを備えており、前記刃部の縁部には、農業用被覆シートにスリットを形成できる切断可能部と、農業用被覆シートにスリットを形成できない切断不能部とが交互に設けられている。
【０００８】
前記刃部は、一定の間隔を有して前記支持部材に支持されている。
【０００９】
また、前記刃部の切断可能部は、縁部がウエーブ状に形成されている。
【００１０】
さらに、前記複数枚の刃部は、隣接する刃部同士では、切断可能部と切断不能部との位相がずれている。
【００１１】
一方、本発明に係る農業用被覆シートは、耕作面地を被覆する農業用被覆シートであって、前記農業用被覆シート用カッターによってスリットが形成されている。
【発明の効果】
【００１２】
本発明に係る農業用被覆シート用カッターによると、農業用被覆シートに複数列のスリットを容易に形成することができるので、各種の苗等に対応することができる。従って、農業用被覆シートを複数種類準備する必要がない。
【００１３】
また、複数の刃部が一定の間隔を有しているため、隣り合うスリットとスリットとの間の間隔は一定となる。このため、耕作面地に整然と苗を育成することができる。
【００１４】
また、前記刃部の切断可能部の縁部はウエーブ状に形成されているため、形成されるスリットもウエーブ状となる。このため、直線状のスリットよりもスリットから生えてきた苗と農業用被覆シートとの間の隙間を小さくすることができる。よって、従来の直線状のスリットをもつ農業用被覆シートより、耕作面地の露出が少なくなり、雑草の繁殖を抑制することができる。
【００１５】
さらに、前記複数枚の刃部は、隣接する刃部同士では、切断可能部と切断不能部との位相がずれているで、スリットは千鳥状に形成されることなるので、苗が密集して生えることがない。
【発明を実施するための最良の形態】
【００１６】
図１は本発明の実施の形態に係る農業用被覆シート用カッターの概略的斜視図、図２は本発明の実施の形態に係る農業用被覆シート用カッターの刃部の概略的斜視図、図３は本発明の実施の形態に係る農業用被覆シート用カッターの刃部の概略的平面図、図４は本発明の実施の形態に係る農業用被覆シート用カッターの使用方法を示す概略的斜視図、図５は本発明の他の実施の形態に係る農業用被覆シート用カッターの概略的斜視図、図６は本発明の実施の形態に係る農業用被覆シート用カッターによってスリットが形成された農業用被覆シートの概略的平面図、図７は本発明の実施の形態に係る農業用被覆シート用カッターによってスリットが形成された農業用被覆シートのスリット部分の概略的拡大平面図、図８は本発明の実施の形態に係る農業用被覆シート用カッターによってスリットが形成された農業用被覆シートの使用例を示す概略的斜視図、図９は本発明の実施の形態に係る農業用被覆シート用カッターによって形成されたスリットの効果を示すための概略的斜視図である。
【００１７】
本発明の実施の形態に係る農業用被覆シート用カッター１００は、農業用被覆シート２００に押し付けてスリット２１０を形成する農業用被覆シート用カッターであって、複数枚の円形の刃部１１０と、これらの刃部１１０が取り付けられる支持部材１２０と、この支持部材１２０が回転可能に取り付けられるカッター本体部１３０とを備えており、前記刃部１１０の縁部には、農業用被覆シート２００にスリット２１０を形成できる切断可能部１１１と、農業用被覆シート２００にスリット２１０を形成できない切断不能部１１２とが交互に設けられている。
【００１８】
まず、前記刃部１１０は、図２、図３に示すように、円形の刃物であって、縁部がウエーブ状になっている。そして、中心には支持部材１２０が貫通する貫通孔１１３が開設されている。
【００１９】
しかも、この刃部１１０の縁部には、農業用被覆シート２００に押し付けてもスリット２１０が形成されない切断不能部１１２が２つ設けられている。この２つの切断不能部１１２は、貫通孔１１３を中心として１８０度ずれた位置に形成されている。この２つの切断不能部１１２の間は、農業用被覆シート２００に押し付けるとスリット２１０が形成される切断可能部１１１となっている。具体的には、全縁部が刃物となった金属製の円形の板を形成し、その後に金型で縁部をウエーブ状に形成すると同時に、１８０度ずれた位置の縁部をカットすることで、２つの切断不能部１１２を有し、縁部がウエーブ状になった刃部１１０とする。なお、この刃部１１０の製造方法は、上記したものに限定されるものではなく、他の方法であってもよいことはいうまでもない。
【００２０】
この刃部１１０は、貫通孔１１３に棒状の支持部材１２０を挿入することで、支持部材１２０に取り付けられる。各刃部１１０の間には、一定厚の円形スペーサ１４０が介在されるため、各刃部１１０の間隔は円形スペーサ１４０の厚さに等しくなっている。なお、円形スペーサ１４０の半径は、刃部１１０の半径より小さく設定されていることはもちろんである。
【００２１】
しかも、各刃部１１０は、隣接する刃部１１０同士では、切断可能部１１１と切断不能部１１２との位相が９０度ずれている。従って、農業用被覆シート２００に形成されるスリット２１０のうちは、隣接する刃部１１０によって形成されるスリット２１０は農業用被覆シート用カッター１００の走行方向では重ならないようになっている。
【００２２】
また、前記カッター本体部１３０は、農業用被覆シート用カッター１００を把持するためのもので、図１に示すように、略蒲鉾型のケースである。かかるカッター本体部１３０は、合成樹脂や金属等から構成される。かかるカッター本体部１３０は、、対向する平滑な壁面に支持部材１２０が回転可能に取り付けられている。そして、刃部１１０の大部分はカッター本体部１３０の内側に位置し、一部のみでカッター本体部１３０の外側に露出していることになる。
【００２３】
このように構成された農業用被覆シート用カッター１００は、以下のように使用する。まず、スリット２１０を形成すべき農業用被覆シート２００を平坦なゴム板や木板等の上に載置する。その上で、図４に示すように、農業用被覆シート用カッター１００の露出した刃部１１０を農業用被覆シート２００に当て、カッター本体部１３０を把持しつつ農業用被覆シート２００に対して圧力を加えた状態で刃部１１０を回転させつつ移動させる（図４矢印Ａ参照）。
【００２４】
すると、刃部１１０のうち、切断可能部１１１が当たった部分にはウエーブ状のスリット２１０が形成され、切断不能部１１２が当たった部分はスリット２１０が形成されない。すなわち、１つの刃部１１０によってスリット２１０が飛び飛びに形成されることになる。
【００２５】
また、隣接する刃部１１０同士では、切断可能部１１１と切断不能部１１２との位相が９０度異なっているので、スリット２１０は図６、図７に示すように、いわゆる千鳥状に形成されることになる。
【００２６】
このようにして構成された農業用被覆シート２００は、例えば、図８に示すように、耕作面地に形成された畝３００を被覆する。農業用被覆シート２００のスリット２１０が形成された部分は畝３００の種が蒔かれたり、苗が移植されたりする部分に位置するようにセットされる。そして、スリット２１０が形成されていない縁部２２０は、畝３００の両脇に位置し、その上から土をかけられることで農業用被覆シート２００を畝３００に対して固定する。
【００２７】
農業用被覆シート２００を横方向に引っ張り気味にして畝３００にセットすると、スリット２１０が若干開口する。従って、農業用被覆シート２００を畝３００にセットしてから種を蒔いたり、苗を植える場合には、農業用被覆シート２００を横方向に引っ張り気味にして畝３００にセットするとよい。
【００２８】
種を蒔いた畝３００に農業用被覆シート２００をセットする場合には、生えてきた苗がスリット２１０から自然とでてくるので、特にスリット２１０を開口させなくてもよい場合がある。この場合は、スリット２１０からでられなかった苗は日照不足等で成長しないので、自然と間引きされることになる。
【００２９】
雑草等は農業用被覆シート２００に覆われた場所では日照不足等により生えることがない。ただし、スリット２１０からでてくる雑草等はあるが、農業用被覆シート２００がない場合と比較するとごくわずかであり、雑草等の除去に要する手間はごくわずかとなる。
【００３０】
図９（Ａ）に示すように、スリット２３０がウエーブ状ではなく直線状であると、スリット２３０から生えてきた苗がスリット２３０に形成する隙間が大きいが、図９（Ｂ）に示すように、スリット２１０がウエーブ状であると、スリット２１０から生えてきた苗と農業用被覆シート２００との間の隙間が比較的小さくなる。このため、従来の直線状のスリット２３０をもつ農業用被覆シート２００より、耕作面地の露出が少なくなり、雑草の繁殖を抑制することができる。
【００３１】
なお、上述した実施の形態では、隣接する刃部１１０同士では、切断可能部１１１と切断不能部１１２との位相が９０度異なっているとしたが、本発明がこれに限定されることはない。隣接する刃部１１０同士の切断可能部１１１と切断不能部１１２との位相が異なっていればよいので、３０度、４５度あるいは６０度ずつ異なっていてもよいことはいうまでもない。
【００３２】
また、カッター本体部１３０は上述したような蒲鉾状のものに限定されることはない。例えば、図５に示すようにグリップ１５０を設けることも可能である。この場合、カッター本体部１３０を把持することはないので、カッター本体部１３０は必須のものではないが、カッター本体部１３０を取り去ると、すべての刃部１１０が露出することになるので、カッター本体部１３０を設けたほうが安全面からは望ましい。
【００３３】
また、カッター本体部１３０から一部の刃部１１０が露出するようなスリットを形成した板材でカッター本体部１３０をカバーしてもよい。
【図面の簡単な説明】
【００３４】
【図１】本発明の実施の形態に係る農業用被覆シート用カッターの概略的斜視図である。
【図２】本発明の実施の形態に係る農業用被覆シート用カッターの刃部の概略的斜視図である。
【図３】本発明の実施の形態に係る農業用被覆シート用カッターの刃部の概略的平面図である。
【図４】本発明の実施の形態に係る農業用被覆シート用カッターの使用方法を示す概略的斜視図である。
【図５】本発明の他の実施の形態に係る農業用被覆シート用カッターの概略的斜視図である。
【図６】本発明の実施の形態に係る農業用被覆シート用カッターによってスリットが形成された農業用被覆シートの概略的平面図である。
【図７】本発明の実施の形態に係る農業用被覆シート用カッターによってスリットが形成された農業用被覆シートのスリット部分の概略的拡大平面図である。
【図８】本発明の実施の形態に係る農業用被覆シート用カッターによってスリットが形成された農業用被覆シートの使用例を示す概略的斜視図である。
【図９】本発明の実施の形態に係る農業用被覆シート用カッターによって形成されたスリットの効果を示すための概略的斜視図である。
【符号の説明】
【００３５】
１００    農業用被覆シート用カッター
１１０    刃部
１１１    切断可能部
１１２    切断不能部
１２０    支持部材
１３０    カッター本体部
２００    農業用被覆シート
２１０    スリット
【図１】
2009106225.tif 000003
【図２】
2009106225.tif 000004
【図３】
2009106225.tif 000005
【図４】
2009106225.tif 000006
【図５】
2009106225.tif 000007
【図６】
2009106225.tif 000008
【図７】
2009106225.tif 000009
【図８】
2009106225.tif 000010
【図９】
2009106225.tif 000011